(57)【要約】【課題】  ボイラーから噴出する時に水蒸気の温度低下を防止し水蒸気の品質を向上する。【解決手段】  水蒸気発生手段４３は、加熱底面４３ｇと複数の加熱側面４３ｆで囲まれた水蒸気発生空間１０３と、水蒸気発生空間１０３の外周に有したボイラー加熱手段８９と、水蒸気発生空間１０３内に水を供給する給水口１０４とを設けたボイラー本体部４３ａと、前記複数の加熱側面４３ｆのうち加熱室２８側の加熱側面４３ｆの上方に、水蒸気発生空間１０３から加熱室２８に水蒸気を供給する噴出口４４を設けたボイラー蓋体４３ｂとを備え、ボイラー本体部４３ａとボイラー蓋体４３ｂとの間にシール材４３ｅを備え、噴出口４４は、水蒸気発生空間内１０３では水蒸気発生空間１０３側に突出して有したブロック部４３ｐに噴出口入口４４ａと、加熱室２８側では加熱側面４３ｆから突出した噴出口出口４４ｂとを設けたものである。【選択図】  図６
2015129596.tif 000002
【特許請求の範囲】
【請求項１】
食品を収納する加熱室と、
水を加熱して発生した水蒸気を前記加熱室に供給する水蒸気発生手段と、を備えた加熱調理器であって、
前記水蒸気発生手段は、
加熱底面と複数の加熱側面で囲まれた水蒸気発生空間と、該水蒸気発生空間の外周に有したボイラー加熱手段と、前記水蒸気発生空間内に水を供給する給水口とを設けたボイラー本体部と、
前記複数の加熱側面のうち前記加熱室側の加熱側面の上方に、前記水蒸気発生空間から前記加熱室に水蒸気を供給する噴出口を設けたボイラー蓋体と、を備え、
更に、前記ボイラー本体部と前記ボイラー蓋体との間にシール材を備え、
前記噴出口は、
前記水蒸気発生空間内では前記水蒸気発生空間側に突出したブロック部に設けられた噴出口入口と、
前記加熱室側では前記加熱側面から筒状に突出して設けられた噴出口出口と、
で構成されることを特徴とする加熱調理器。
【請求項２】
請求項１に記載の加熱調理器において、
前記噴出口の下面には、前記水蒸気発生空間側が低く、前記加熱室側が高くなるような傾斜が設けられていることを特徴とする加熱調理器。
【請求項３】
請求項２に記載の加熱調理器において、
前記噴出口の断面積であって前記傾斜の前記加熱室側端部での断面積より、前記噴出口出口側での断面積が大きいことを特徴とする加熱調理器。
【発明の詳細な説明】
【技術分野】
【０００１】
本発明は、水を加熱して水蒸気を発生する水蒸気発生手段を備えた加熱調理器に関するものである。
【背景技術】
【０００２】
従来の加熱調理器において、高周波加熱手段，グリル加熱手段，熱風オーブン加熱手段の他に水蒸気発生手段を備え、水蒸気により食品を加熱調理する加熱調理器が知られている。
【０００３】
例えば特許文献１は、水蒸気発生手段８９の水蒸気の発生効率を良くするために、水蒸気発生手段８９は、加熱室２８の側面に取り付ける水蒸気噴出口４４を設けた蓋体６２と、水蒸気発生空間１０３と給水口１０４と発熱体６３を設けた加熱容器６１とをシール材６５を介して塞ぎ、水蒸気発生空間１０３を閉塞（給水口１０４と水蒸気噴出口４４を除く）したものである。
【先行技術文献】
【特許文献】
【０００４】
【特許文献１】特開２０１１−２４７４８４号公報
【発明の概要】
【発明が解決しようとする課題】
【０００５】
従来の特許文献１に示す加熱調理器に使用する水蒸気発生手段８９の水蒸気噴出口４４の温度は、発熱体６３からシール材６５を介して熱が伝達するので、水蒸気噴出口４４の温度は発熱体６３の温度が遅れて到達する。そのため水蒸気噴出口４４の温度は、噴出する水蒸気の温度の影響を受けて温度低下することが考えられる。
【課題を解決するための手段】
【０００６】
本発明は上記の欠点を解決するためになされたものであり、食品を収納する加熱室と、水を加熱して発生した水蒸気を前記加熱室に供給する水蒸気発生手段とを備えた加熱調理器であって、前記水蒸気発生手段は、加熱底面と複数の加熱側面で囲まれた水蒸気発生空間と、該水蒸気発生空間の外周に有したボイラー加熱手段と、前記水蒸気発生空間内に水を供給する給水口とを設けたボイラー本体部と、前記複数の加熱側面のうち前記加熱室側の加熱側面の上方に、前記水蒸気発生空間から前記加熱室に水蒸気を供給する噴出口を設けたボイラー蓋体と、を備え、前記ボイラー本体部と前記ボイラー蓋体との間にシール材を備え、前記噴出口は、前記水蒸気発生空間内では前記水蒸気発生空間側に突出して有したブロック部に噴出口入口と、前記加熱室側では前記加熱側面から突出した噴出口出口とを設けたものである。
【発明の効果】
【０００７】
本発明によれば、水蒸気発生手段の水蒸気噴出口の温度低下を防止し水蒸気の品質を向上することができる。
【図面の簡単な説明】
【０００８】
【図１】一実施例の加熱調理器の本体を前面側から見た斜視図である。
【図２】同加熱調理器の本体を後方側から見た斜視図である。
【図３】図１のＡ−Ａ断面図である。
【図４】一実施例の加熱調理器のドアを開け、本体内部が見える状態の斜視図である。
【図５】同加熱調理器の本体から外枠を取り外した状態を後方側から見た斜視図である。
【図６】同加熱調理器の水蒸気発生手段の噴出口を通る縦断面図である。
【図７】一実施例の加熱調理器に設置されるボイラー本体部の内部の斜視図である。
【図８】同ボイラー本体部の外側の斜視図である。
【図９】同ボイラー蓋部の内部の斜視図である。
【図１０】同ボイラー蓋部の外側の斜視図である。
【図１１】同加熱調理器のドアに設けたタッチパネル付き表示部と操作キー群の説明図である。
【図１２】同加熱調理器の制御手段を表わしたブロック図である。
【発明を実施するための形態】
【０００９】
以下、本発明の一実施例を添付図面に従って説明する。
【００１０】
図１から図５において、加熱調理器の本体１は、内部に被加熱物である被調理物１３０を収納する加熱室２８を備えている。
【００１１】
ドア２は、加熱室２８の内部に被調理物１３０を出し入れするために開閉するもので、ドア２を閉めることで加熱室２８を密閉状態にし、被調理物１３０を加熱する時に使用するマイクロ波の漏洩を防止し、後述するヒータの熱や過熱水蒸気を封じ込め、効率良く加熱することを可能とする。
【００１２】
取っ手９は、ドア２に取り付けられ、ドア２の開閉を容易にするもので、手で握りやすい形状になっている。
【００１３】
ガラス窓３は、加熱中の食品の状態が確認できるようにドア２に取り付けられ、ヒータ等の発熱による高温に耐えるガラスを使用している。
【００１４】
ドア２の前面下側にドア２の横幅全体に渡って操作パネル４が設けられ、操作パネル４の上部にＬＥＤ表示部１０５が設けられている。操作パネル４に操作部６を設け、操作部６は略中央部にタッチパネル付き表示部７０を備え、タッチパネル付き表示部７０の右側に隣接して横２個で２段に配列した４個の操作キーでなる操作キー群６０と、そして右端に調理の開始を入力するスタートキー６ｂ、その下側に調理を取りやめるとりけしキー６ｃを配置して構成している。
【００１５】
スタートキー６ｂと、とりけしキー６ｃは、機械式スイッチを用いている。
【００１６】
タッチパネル付き表示部７０は、ドア２の前面下側の操作パネル４に設けられ、マイクロ波で被調理物１３０を加熱するレンジ加熱手段７７（図１２）、加熱室２８の加熱室上面２８ｅに設けたヒータで被調理物を加熱するグリル加熱手段１２、水蒸気により被調理物１３０を加熱するスチームユニット４３ａ（図１２）、加熱室奥壁面２８ｂの後方に上下に設けた熱風ヒータ１４ａ，１４ｂから成る熱風ユニット１１を備え、発生した熱風で加熱室２８を加熱するオーブン加熱手段などから希望する加熱手段を選択し、加熱する時間等の調理条件やパン作りのメニューを入力するためのタッチパネル７０ａ（図１１）と、タッチパネル７０ａから入力された内容や調理の進行状態を表示するＬＣＤ表示部７０ｂ（図１１）とが一体となって構成される。
【００１７】
水タンク４２は、飽和水蒸気あるいは過熱水蒸気を作るのに必要な水を溜めておく容器であり、本体１の前面下側に設けられ、本体１の前面から着脱可能な構造とすることで給水および排水が容易にできるようになっている。
【００１８】
外枠７は、本体１の上面と左右側面を覆うキャビネットである。
【００１９】
後板１０は、前記したキャビネットの後面を形成するものであり、上部に外部排気ダクト１８が取り付けられ、該外部排気ダクト１８の取り付けられる内側に、被調理物１３０から排出した蒸気や本体１の内部の部品を冷却した後の冷却風（廃熱）３９を排出する排気孔３６が設けられている。
【００２０】
また、外部排気ダクト１８は、排気孔３６を通過した冷却風（廃熱）を本体１の外に排出するもので、排気は外部排気ダクト１８の外部排気口８から排出し、排気の排出方向は本体１の上部方向で且つ前面側に排気する。排気の排出方向を上部方向で且つ前面側に向けることで、背面を壁面に接近して設置した時でも排気によって壁面を汚すことがないようにしている。
【００２１】
機械室２０は、加熱室底面２８ａと本体１の底板２１との間の空間部に設けられ、底板２１上には食品を加熱するためのマグネトロン３３、マグネトロン３３に接続された導波管４７，制御基板２３、その他後述する各種部品、これらの各種部品を冷却するファン装置１５等が取り付けられている。
【００２２】
加熱室底面２８ａは、略中央部が凹状に窪んでおり、その中に回転アンテナ２６が設置され、マグネトロン３３より放射されるマイクロ波エネルギーは、導波管４７から回転アンテナ駆動手段４６の出力軸４６ａが貫通する開孔部４７ａを通して回転アンテナ２６の下面に流入し、該回転アンテナ２６で拡散されて加熱室２８内に放射される。回転アンテナ２６は回転アンテナ駆動手段４６の出力軸４６ａに連結されている。
【００２３】
ファン装置１５は、モータの駆動によって回転し、このファン装置１５によって発生する冷却風３９は、機械室２０内の自己発熱するマグネトロン３３やインバータ基板２２，重量検出手段２５等を冷却し、加熱室２８の外側と外枠７の間および熱風ケース１１ａと後板１０の間を流れ、外枠７と後板１０を冷却しながら排気孔３６を通り、外部排気ダクト１８の外部排気口８より排出される。
【００２４】
加熱室２８の後部には、熱風ユニット１１が取り付けられ、熱風ユニット１１は、加熱室奥壁面２８ｂの後部側に熱風ケース１１ａを設け、加熱室奥壁面２８ｂと熱風ケース１１ａとの間に熱風ファン３２と、その外周側に位置するように熱風ヒータ１４を設け、熱風ケース１１ａの後側に熱風モータ１３を取り付け、そのモータ軸を熱風ケース１１ａに設けた穴を通して熱風ファン３２と連結している。
【００２５】
そして、熱風ユニット１１内には加熱室２８の空気を効率良く循環させる熱風ファン３２が取り付けられ、加熱室奥壁面２８ｂには空気の通り道となる熱風吸気孔３１と熱風吹出し孔３０が設けられている。
【００２６】
熱風ファン３２は、熱風ケース１１ａの外側に取り付けられた熱風モータ１３の駆動により回転し、熱風ヒータ１４で循環する空気を加熱する。そのため後述する噴出口４４から加熱室２８へ噴出した飽和水蒸気を熱風ヒータ１４の加熱によって過熱水蒸気にして加熱室２８へと送ることが可能となる。
【００２７】
加熱室２８の天面の裏側には、ヒータよりなるグリル加熱手段１２が取り付けられている。グリル加熱手段１２は、マイカ板にヒータ線を巻き付けて平面状に形成し、加熱室２８の天面裏側に押し付けて固定し、加熱室２８の天面を加熱して加熱室２８内の食品を輻射熱によって焼くものである。
【００２８】
また、加熱室底面２８ａには、複数個の重量検出手段２５、例えば前側右左に右側重量センサ２５ａ，左側重量センサ２５ｂ，後側中央に奥側重量センサ２５ｃが設けられ、その上にテーブルプレート２４が載置されている。
【００２９】
テーブルプレート２４は、被調理物１３０を載置するためのもので、ヒータ加熱とマイクロ波加熱の両方に使用できるように耐熱性を有し、かつ、マイクロ波の透過性が良く、衛生面でも問題がない磁器等の材料で成形されている。
【００３０】
また、このテーブルプレート２４は、グリル加熱手段１２を使用して加熱する時に、被調理物１３０を適宜グリル加熱手段１２に近づけるために、加熱室２８の左右側面に設けた上中下の多段（図では３段）の棚２７に載せて使用される。
【００３１】
加熱室２８の後部上方には、加熱室２８内の温度を検出する温度検出手段ａ８５が設けられている。前記温度検出手段ａ８５は、グリル加熱手段１２及び熱風ユニット１１の熱風吹出し孔３０から加熱室２８内に吹出される熱風の影響を直接受けない位置に設けられている。
【００３２】
スチームユニット４３ａ（図１２）は水蒸気発生手段４３とポンプ手段８７により成る。
【００３３】
水蒸気発生手段４３は、略横長形状で加熱室左側面２８ｃの外側面に横向きに取り付けられ、水蒸気を噴出する噴出口４４は加熱室２８内に臨ませている。
【００３４】
また、水蒸気発生手段４３は、アルミの鋳造で作られ、鋳造時にボイラー加熱手段８９であるシーズヒータを一体となるように埋め込んでいる。そのヒータの消費電力は６００Ｗ前後と大きく、水蒸気発生手段４３は短時間で水を沸騰できる温度に加熱することができる。
【００３５】
水蒸気発生手段４３への水の供給は、ポンプ手段８７を駆動することによって水タンク４２からパイプ４５を通して供給される。供給された水は、パイプ４０と通って、水蒸気発生手段４３で加熱されて沸騰し、水蒸気となってスチーム噴出口４４から加熱室２８へ噴出する。
【００３６】
温度検出手段ｂ８８は、水蒸気発生手段４３の温度を検出するもので、その検出結果を後述する制御手段１５１（図１２）に伝え、ボイラー加熱手段８９やポンプ手段８７を制御する。
【００３７】
ポンプ手段８７は、水タンク４２の水を水蒸気発生手段４３まで汲み上げるもので、ポンプとポンプを駆動するモータで構成される。水蒸気発生手段４３への給水量の調節はモータに供給する電力のＯＮ／ＯＦＦの比率で決定する。
【００３８】
ポンプ手段８７の一回の動作で送られる水の量は、ボイラー加熱手段８９に６００Ｗのヒータを使用した場合、流入した水によって蒸気発生手段４３の温度が低下して水が溜まらない量として概ね０．４ｍｌとしている。
【００３９】
次に、水蒸気発生手段４３の詳細構造について図６から図１０を参照して説明する。
【００４０】
これらの図において、水蒸気発生手段４３は、内部に凹状の水蒸気発生空間１０３を備えたボイラー本体部４３ａと、該ボイラー本体部４３ａの凹状の水蒸気発生空間１０３を塞ぐボイラー蓋部４３ｂとで構成されている。そして、ボイラー本体部４３ａとボイラー蓋部４３ｂは、いずれもアルミ鋳造品等の錆び難い金属材料によって長手方向の一側が略半円形状となるように略横長形状に成形されている。
【００４１】
ボイラーヒータを構成するボイラー加熱手段８９は、水蒸気発生手段４３を加熱する部品で、シーズヒータを略Ｕ字形に折り曲げたものであり、該略Ｕ字形に曲げられた内側に水蒸気発生空間１０３が位置するようにボイラー本体部４３ａの外周部の内部に一体に鋳造により埋め込まれている。
【００４２】
そのため、水蒸気発生空間１０３を構成する加熱面４３ｈ（加熱底面４３ｇと複数の加熱側面４３ｆ）の面を効率よく加熱できるようになっている。
【００４３】
また、ボイラー本体部４３ａには、水蒸気発生空間１０３内に水を供給する筒状の給水口１０４が一体に設けられており、この給水口１０４の外側に図５に示すパイプ４０が接続されている。この給水口１０４の水蒸気発生空間１０３側になる給水出口１０４ａに向かって内径を大きくしている。
【００４４】
ボイラー蓋部４３ｂは、ボイラー本体部４３ａの水蒸気発生空間１０３の外周部に沿って設けられた溝４３ｄにシール剤４３ｅを塗布したのち、ボイラー蓋部４３ｂに長手方向の上下４箇所に形成されたネジ止め穴４３ｎとボイラー本体部４３ａに長手方向の上下４箇所に形成されたネジ座１０２にネジ（図示せず）を締め付けることによりボイラー本体部４３ａに固定され、ボイラー本体部４３ａの水蒸気発生空間１０３を塞いでいる。
【００４５】
ボイラー蓋部４３ｂには、複数の加熱側面４３ｆのうち加熱室２８側の加熱側面４３ｆの上方に、水蒸気発生手段４３の外側で水蒸気発生空間１０３から加熱室２８内に水蒸気を供給する噴出口４４を備える。
【００４６】
噴出口４４は、水蒸気発生手段４３の外側は筒状に突出した、噴出口出口４４ｂを加熱室２８内に突出するように設けられている。一方、水蒸気発生空間１０３側はボイラー蓋部４３ｂの加熱側面４３ｆより水蒸気発生空間１０３内に（ｈ）寸法だけ略水平方向に突出する平面４３ｍと加熱側面４３ｆとの間に段差４３ｒを有したブロック部４３ｐが設けられ、このブロック部４３ｐの平面４３ｍに噴出口４４の噴出口入口４４ａが設けられている。前記ブロック部４３ｐを設けることで、噴出口４４の熱容量を大きくしている。
【００４７】
噴出口入口４４ａは長穴状で、噴出口入口４４ａから噴出口出口４４ｂに向けて上方向に傾斜する斜面４４ｃを設けている。また、噴出口４４の断面積であって傾斜４４ｃの加熱室側端部での断面積より、噴出口出口４４ｂ側での断面積が大きい構成とした。
【００４８】
（ｈ）寸法は、種々の実験結果から、２．５〜５ｍｍに設定することが望ましく、これによって噴出口４４から加熱室２８内に水蒸気に気化されない水が噴出するのを抑制することができる。
【００４９】
給水口１０４から注入される水は、水蒸気発生空間１０３を構成している加熱底面４３ｇと加熱側面４３ｆで加熱されて水蒸気に気化され、加熱側面４３ｆに設けられた噴出口４４より、蒸気発生手段４３の外部に水蒸気を排出される。
【００５０】
本実施例は、以上の構成からなり、次に、水蒸気発生手段４３の水蒸気発生動作について説明する。
【００５１】
なお、マグネトロン３３を用いた高周波加熱調理，グリル加熱手段１２を用いたグリル調理，熱風ユニット１１を用いた熱風オーブン加熱調理，水を加熱して発生した水蒸気による蒸し料理そのものについては公知であり、料理に関する説明は省略する。
【００５２】
まず、加熱前に水タンク４２に水を入れる。次に、ボイラー加熱手段８９に電力が通電されると、水蒸気発生手段４３の加熱を開始する。制御手段１５１は、水蒸気発生手段４３の温度は温度検出手段ｂ８８によって検出し、その検出結果によってボイラー加熱手段８９やポンプ手段８７を制御する。
【００５３】
そして、前記検出温度が一定温度以上（水を加熱し水蒸気にできる温度、ここでは１７
０℃）になるとポンプ手段８７を駆動し、水タンク４２からパイプ４５を通してボイラー本体部４３ａの給水口１０４から水蒸気発生空間１０３へと水が供給される。
【００５４】
水蒸気発生空間１０３へ供給された水は、ボイラー加熱手段８９によって加熱された加熱底面４３ｇと加熱側面４３ｆとで加熱され、瞬時に気化され水蒸気となって噴出口４４から加熱室２８へ送られる。
【００５５】
水は、高温部に触れると、水と高温部との間に水蒸気膜が発生して熱伝導が悪くなり、水滴が水蒸気膜の上を転がる現象が発生する。
【００５６】
同じ現象は水蒸気発生手段４３内でも発生し、水が水蒸気発生空間１０３へ供給された時、加熱底面４３ｇや加熱側面４３ｆの温度は約１７０℃にも達している。そのため、供給された水が加熱底面４３ｇや加熱側面４３ｆに接した瞬間に、水滴と加熱底面４３ｇや加熱側面４３ｆとの間に水蒸気の膜が発生し、熱伝導が悪くなり、水が完全に蒸発するまでの間、水は水滴状となって加熱底面４３ｇや加熱側面４３ｆを転がる現象が発生する。
【００５７】
そして、この水滴は、時には加熱側面４３ｆを転がり上昇する。
【００５８】
しかし、噴出口４４を備えたボイラー蓋部４３ｂは、加熱側面４３ｆより水蒸気発生空間１０３内に（ｈ）寸法だけ略水平方向に突出しする平面４３ｍを設け、平面４３ｍと加熱側面４３ｆとの間に段差４３ｒを構成して設けられたブロック部４３ｐの平面４３ｍに噴出口４４の噴出口入口４４ａを設け、噴出口入口４４ａは長穴状で、噴出口入口４４ａから噴出口出口４４ｂに向けて上方向に傾斜する斜面４４ｃを設けているため、前記した水滴は、この（ｈ）寸法を乗り越えることができず、噴出口４４からボイラー４３の外部に放出されることはない。
【００５９】
また、加熱底面４３ｇや加熱側面４３ｆにスケールが溜まって、熱伝導が悪くなっても、水滴が気化され水蒸気になるまでの時間が少し増す程度で、水滴が噴出口入口４４ａを備える平面４３ｍまでの（ｈ）寸法の段差４３ｒを乗り越えることはできない。
【００６０】
また、ブロック部４３ｐの略横長方向全体に段差４３ｒを形成することにより前記した水滴は、横方向に移動してもこの段差４３ｒを乗り越えることができないため、噴出口４４付近で気化することが無く、段差４３ｒや加熱底面４３ｇ、加熱側面４３ｆにスケールが溜まるので、噴出口４４をスケールによってふさぎにくい構造となっている。
【００６１】
また、この段差４３ｒの突出した（ｈ）寸法の長さは、蓄積されるスケール量に応じて長くすることも可能であり、長くすることによって水蒸気発生手段４３の性能を悪くするものでもない。
【００６２】
さらに、噴出口４４にブロック部４３ｐを設け、噴出口４４の熱容量を大きくすることで、水蒸気が噴出口４４を通過する時に噴出口４４の温度低下を防止することが可能となり、そこを通過する水蒸気の温度低下を防止して、高温の水蒸気を加熱室２８に供給することができる。
【００６３】
そして、ブロック部４３ｐに設けた噴出口入口４４ａから噴出口出口４４ｂに向けて上方向に傾斜する斜面４４ｃを設けることにより、仮に水滴が段差を乗り越えたとしても、熱容量の大きなブロック部４３ｐに設けた斜面４４ｃを水滴はさらに上方向へ上昇しないと噴出口出口４４ｂに到達しないため、熱容量の大きなブロック部４３ｐ内で水滴が気化して水滴が噴出口４４から外に飛び出しにくくしている。さらに、平面４３ｍと斜面４４ｃで成す噴出口入口４４ａのエッジ部４４ｄは、直角よりも大きな角度であることによって、そのエッジ部４４ｄにスケールが付着しにくい構造となっている。
【００６４】
また、蒸気が冷えて水滴となった場合でも、噴出口入口４４ａから噴出口出口４４ｂに向けて上方向に傾斜する斜面４４ｃを設けているので、加熱室２８内に垂れずに、水蒸気発生空間１０３に戻す働きもする。
【００６５】
なお、上記実施例では、水蒸気発生手段４３を略横長形状とし、加熱室２８の外側面に横向きに取り付けたが、必ずしも横長形状で、加熱室２８の外側面に横向きに取り付ける必要はない。
【００６６】
要は、加熱側面４３ｆから水蒸気発生空間１０３側に（ｈ）寸法だけ突出した平面４３ｍを設け、平面４３ｍと加熱側面４３ｆとの間に段差４３ｒを構成して設けられたブロック部４３ｐの平面４３ｍに噴出口入口４４ａを設け、水蒸気発生手段４３を加熱室２８へ取付けた姿勢において、噴出口入口４４ａから噴出口出口４４ｂに向けて上方向に傾斜する斜面４４ｃを設けていればよい。
【００６７】
以上説明したように、水蒸気発生手段４３から噴出する水蒸気の温度低下を防止し水蒸気の品質を向上することができる。
【符号の説明】
【００６８】
１  本体
２８  加熱室
４３  水蒸気発生手段
４３ａ  ボイラー本体部
４３ｂ  ボイラー蓋部
４３ｆ  加熱側面
４３ｇ  加熱底面
４３ｍ  平面
４４  噴出口
４４ａ  噴出口入口
４４ｂ噴出口出口
４４ｃ  斜面
８９  ボイラー加熱手段
１０３  水蒸気発生空間
１０４  給水口
【図１】
2015129596.tif 000003
【図２】
2015129596.tif 000004
【図３】
2015129596.tif 000005
【図４】
2015129596.tif 000006
【図５】
2015129596.tif 000007
【図６】
2015129596.tif 000008
【図７】
2015129596.tif 000009
【図８】
2015129596.tif 000010
【図９】
2015129596.tif 000011
【図１０】
2015129596.tif 000012
【図１１】
2015129596.tif 000013
【図１２】
2015129596.tif 000014